(57)【要約】【課題】  ドア部を回動させることにより前面パネルに備える孔を開閉する電子機器において、ドア部を閉鎖した場合に、ドア部が不用意に開口してしまうことを防止すると共に、前面パネルとドア部との間に段差が生じてしまうことを防止する。【解決手段】  筐体と、孔を備える前面パネルと、水平方向に配設されたシャフトを備え前面パネルの後面に固着されるフランジと、シャフトに軸支され孔を開閉するドア部と、ドア部の下面に固着される鉄板部と、下面に水平方向に配設された溝部を備えドア部が孔を閉鎖した場合に鉄板部に吸着するマグネットと、垂直方向に貫通する雌ネジ部を備え前面パネルの後面に固着される固着部と、下端に固着部の上面を固着し上端に前記マグネットの下面を固着するスプリングと、上端辺が溝部に当接する三角柱部と、固着部の下方から雌ネジ部にねじ込まれることにより三角柱部を上方に押圧する雄ネジ部とを備える。【選択図】      図２
2007227774.tif 000002
【特許請求の範囲】
【請求項１】
電子回路と、箱形であり前記電子回路を内部に固定する筐体と、前記筐体の前面に固定され前後に貫通する孔を備える前面パネルと、水平方向に配設されたシャフトを備え前記前面パネルの後面に固着されるフランジと、前記シャフトに軸支され前記シャフトを軸に回動することにより前記孔を開閉するドア部と、前記ドア部が前記孔を閉鎖した場合に前記ドア部の下面に固着される鉄板部と、下面に水平方向に配設された溝部を備え前記ドア部が前記孔を閉鎖した場合に上面が前記鉄板部に吸着するマグネットと、垂直方向に貫通する雌ネジ部を備え前記前面パネルの後面に固着される固着部と、下端に前記固着部の上面を固着し上端に前記マグネットの下面を固着するスプリングと、上端辺が前記溝部に当接する三角柱部と、前記固着部の下方から前記雌ネジ部にねじ込まれることにより前記三角柱部を上方に押圧する雄ネジ部とを備えることを特徴とする電子機器。
【発明の詳細な説明】
【技術分野】
【０００１】
本発明は、オーディオ信号を増幅するオーディオ信号増幅装置や光ディスクを再生する再生装置等の電子機器に関する。
【背景技術】
【０００２】
従来の電子機器として、オーディオ信号増幅装置を例に挙げ説明する。
従来のオーディオ信号増幅装置としては、扉開閉装置を備え、扉を開くと当該扉の後方に配設されたオーディオ信号の増幅度を変化させるボリュームや操作キーから成る操作部が露出し、操作部の操作が可能となり、当該ドアを閉鎖すると、操作部に外部からの塵埃や水滴が付着することを防止する構成を有するものが知られている（例えば、特許文献１参照。）。
【０００３】
図６は、従来のオーディオ信号増幅装置の一例を示す斜視図である。
オーディオ信号増幅装置１００は、筐体２、前面パネル３、ドア部４、増幅部７、操作部８、図示しない入力部及び出力部を備える。
【０００４】
筐体２は、箱形であり、内部に増幅部７を備える。前面パネル３は、筐体２の前面に固定される。前面パネル３は、前後に貫通する孔３０１を備える。操作部８は、筐体２に固定され、孔３０１の後方に配置される。ドア部４は、前面パネル３の後面に固定された後述するフランジにより軸支され、回動することによって、孔３０１を開閉する。
【０００５】
操作部８は、ドア部４を回動させ、孔３０１を開口することにより露出する。操作部８は、複数の操作ボタン８０１及びボリュウム部８０２を備える。
【０００６】
オーディオ信号増幅装置１００は、図示しない導電ケーブルにより再生装置及びスピーカと接続されている。
【０００７】
再生装置は、光ディスクに記録されているオーディオ信号を再生する。オーディオ信号増幅装置１００の入力部は、再生装置から出力されたオーディオ信号を入力し増幅部７に出力する。
【０００８】
ボリュウム部８０１は、増幅部７によるオーディオ信号の信号レベルの増幅度を増減させる。増幅部７は、ボリュウム部８０１の指示に応じてオーディオ信号を増幅し、出力部に出力する。出力部は、増幅部７から出力されたオーディオ信号をスピーカへ出力する。
【０００９】
以上により、オーディオ信号増幅装置１００は、再生装置から出力されたオーディオ信号を増幅し、スピーカへ出力する。
【００１０】
図７は、オーディオ信号増幅装置１００の前面パネル３とドア部４の構成を示す後方斜視図である。なお、図７に示す前面パネル３及びドア部４は、矢印Ａ方向を前方とする。
ドア部４は、押し出し成型により形成されたアルミ材であり、下部が後方に突出したＬ字型の形状である。ドア部４は、下部に水平方向に貫通する孔４０１を備え、下面に薄い平板である鉄板部４０２を備える。
【００１１】
前面パネル３は、押し出し成型により形成されたアルミ材であり、上部及び下部が後方に突出した薄いコの字形を形成し、２つのフランジ５、マグネット９及び固着部６００を備える。２つのフランジ５は、それぞれシャフト５０１を備え、それぞれのシャフト５０１が互いに向い合った位置で孔３０１の左右部分に接着剤により固着される。固着部６００は、Ｌ字型であり、孔３０１の下部に位置するように前面パネル３の後面に固着される。マグネット９は、薄い平板状の磁石であり、固着部６００の上面に固着される。
【００１２】
ドア部４は、孔４０１にシャフト５０１が挿入されることによりシャフト５０１に軸支され、シャフト５０１を軸として自在に回動する。ドア部４は、シャフト５０１を軸に回動することにより、前面パネル３の孔３０１を開閉する。
【００１３】
図８は、オーディオ信号増幅装置１００の前面パネル３とドア部４を示す断面図である。
固着部６００は、ドア部４の前面と前面パネル３の前面が略同一面となった状態のとき、マグネット９が鉄板部４０２に当接する位置に配設される。
前面パネル３の孔３０１が開口した状態から孔３０１を閉鎖する方向にドア部４を回動させた場合、前面パネル３の前面とドア部４の前面とが略同一面となったときに鉄板部４０２とマグネット９が当接し、ドア部４の回動を抑止する。このとき、マグネット９の磁力によって鉄板部４０２を吸着することにより、ドア部４は、その前面が前面パネル３の前面と略同一面となった回転角度で固着部６００に保持された状態となる。
【００１４】
以上により、オーディオ信号増幅装置１００において、ドア部４の前面が前面パネル３の前面と略同一面となったとき、マグネット９が鉄板部４０２を吸着する力により、ドア部４の回動は抑制される。
【００１５】
【特許文献１】特開平５−２９５９４５号公報
【発明の開示】
【発明が解決しようとする課題】
【００１６】
図９は、オーディオ信号増幅装置１００の固着部６００が上方にずれた位置で前面パネル３の後面に固着された場合の状態を示す断面図である。
固着部６００は、前面パネル３の裏面に接着材によって固着されるため、この固着位置にずれが生じることがある。このため、例えば、固着部６００が少しでも上方にずれた状態で前面パネル３の後面に固着されると、図９に示すように、前面パネル３の前面とドア部４の前面が同一面とならない状態で鉄板部４０２とマグネット９が当接してしまい、ドア部４の上方の前端部分と前面パネル３の前面との間に距離Ｂの段差が生じてしまう。
【００１７】
前面パネル３の孔３０１をドア部４によって閉鎖した状態の場合、ドア部４の上方の前端部分と前面パネル３の前面との間に段差が生じてしまうと、オーディオ信号増幅装置１００の美観が損なわれてしまう。また、ドア部４の上方の前端部分と前面パネル３の前面との段差が大きくなると、ドア部４を閉鎖してもドア部４の上端と孔３０１の上端との間に隙間が生じ、当該隙間から侵入した塵埃や水滴から前面パネル３の後方に配設された操作ボタン８０１やボリュウム部８０２を保護することができなくなる。
【００１８】
また、図９に示すように、前面パネル３の前面とドア部４の前面が同一面とならない状態で鉄板部４０２とマグネット９が当接した状態では、鉄板部４０２の一部分のみがマグネット９と当接し、マグネット９の上面に対して鉄板部４０２の下面が傾斜した状態となるため、鉄板部４０２の下面とマグネット９の上面とが平行な状態で当接する場合よりマグネット９が鉄板部４０２を吸着する力が弱くなる。マグネット９と鉄板部４０２の吸着力が弱くなると、例えば、前面パネル３に外部から僅かな衝撃や振動が加わった場合でも、この衝撃や振動によって閉じていたドア部４が容易に開いてしまう。外部からの僅かな衝撃や振動によってドア部４が不用意に開いてしまうと、例えば、前面パネル３の前方にカップや花瓶等の他の物を載置していた場合、この物にドア部４が衝突し、他の物やドア部４が破損してしまう虞がある。また、固着部６００が下方にずれた状態で前面パネル３の後面に固着された場合も同様の問題が発生する。このように、正確な位置に固着部６００を固着しないと、外部から僅かな衝撃や振動が加わった場合でも、閉じていたドア部４が容易に開いてしまうという問題や、ドア部４を閉鎖してもドア部４の上端と孔３０１の上端との間に隙間が生じるという問題が発生する。
【００１９】
本発明は、ドア部を回動させることにより前面パネルに備える孔を開閉する電子機器において、ドア部を閉鎖した場合に、ドア部が不用意に開口してしまうことを防止すると共に、前面パネルとドア部との間に段差が生じてしまうことを防止することができる電子機器を提供することを目的とする。
【課題を解決するための手段】
【００２０】
本願の請求項１記載の発明は、電子機器において、電子回路と、箱形であり前記電子回路を内部に固定する筐体と、前記筐体の前面に固定され前後に貫通する孔を備える前面パネルと、水平方向に配設されたシャフトを備え前記前面パネルの後面に固着されるフランジと、前記シャフトに軸支され前記シャフトを軸に回動することにより前記孔を開閉するドア部と、前記ドア部が前記孔を閉鎖した場合に前記ドア部の下面に固着される鉄板部と、下面に水平方向に配設された溝部を備え前記ドア部が前記孔を閉鎖した場合に上面が前記鉄板部に吸着するマグネットと、垂直方向に貫通する雌ネジ部を備え前記前面パネルの後面に固着される固着部と、下端に前記固着部の上面を固着し上端に前記マグネットの下面を固着するスプリングと、上端辺が前記溝部に当接する三角柱部と、前記固着部の下方から前記雌ネジ部にねじ込まれることにより前記三角柱部を上方に押圧する雄ネジ部とを備えることを特徴とする。
【発明の効果】
【００２１】
本発明によれば、ドア部を回動させることにより前面パネルに備える孔を開閉する電子機器において、ドア部を閉鎖した場合に、ドア部が不用意に開口してしまうことを防止すると共に、前面パネルとドア部との間に段差が生じてしまうことを防止することができる電子機器を提供することができる。
【発明を実施するための最良の形態】
【００２２】
本発明の実施の形態を図面を参照して説明する。なお、従来技術で示した構成要素と同一の部分については同符号を用いる。
【００２３】
本実施例においては、電子機器としてオーディオ信号増幅装置を例に挙げ説明する。
図１は、本実施例のオーディオデータ増幅装置を示す斜視図である。
オーディオ信号増幅装置１は、筐体２、前面パネル３、ドア部４、増幅部７、操作部８、図示しない入力部及び出力部を備える。
【００２４】
筐体２は、箱形であり、内部に増幅部７を備える。前面パネル３は、筐体２の前面に固定される。前面パネル３は、前後に貫通する孔３０１を備える。操作部８は、筐体２に固定され、孔３０１の後方に配置される。ドア部４は、前面パネル３の後面に固定された後述するフランジにより軸支され、回動することによって、孔３０１を開閉する。
【００２５】
操作部８は、ドア部４を回動させ、孔３０１を開口することにより露出する。操作部８は、複数の操作ボタン８０１及びボリュウム部８０２を備える。
【００２６】
オーディオ信号増幅装置１は、図示しない導電ケーブルにより再生装置及びスピーカと接続されている。
【００２７】
再生装置は、光ディスクに記録されているオーディオ信号を再生する。オーディオ信号増幅装置１の入力部は、再生装置から出力されたオーディオ信号を入力し増幅部７に出力する。
【００２８】
ボリュウム部８０１は、増幅部７によるオーディオ信号の信号レベルの増幅度を増減させる。増幅部７は、ボリュウム部８０１の指示に応じてオーディオ信号を増幅し、出力部に出力する。出力部は、増幅部７から出力されたオーディオ信号をスピーカへ出力する。
【００２９】
以上により、オーディオ信号増幅装置１は、再生装置から出力されたオーディオ信号を増幅し、スピーカへ出力する。
【００３０】
図２は、オーディオ信号増幅装置１の前面パネル３とドア部４の構成を示す後方斜視図である。なお、図２に示す前面パネル３及びドア部４は、矢印Ａ方向を前方とする。
ドア部４は、押し出し成型により形成されたアルミ材であり、下部が後方に突出したＬ字型の形状である。ドア部４は、下部に水平方向に貫通する孔４０１を備え、下面に薄い平板である鉄板部４０２を備える。
【００３１】
前面パネル３は、押し出し成型により形成されたアルミ材であり、上部及び下部が後方に突出した薄いコの字形を形成し、２つのフランジ５、固着部６、マグネット９、２つのスプリング１０、雄ネジ部１１及び三角柱部１５を備える。前面パネル３は、下面の後方に切欠き３０２を備える。２つのフランジ５は、それぞれシャフト５０１を備え、それぞれのシャフト５０１が互いに向い合った位置で孔３０１の左右部分に接着剤により固着される。固着部６は、Ｌ字型であり、孔３０１の下部に位置するように前面パネル３の後面に固着される。固着部６は、切欠き３０２の上方となる位置に固着される。
【００３２】
固着部６は、中央に垂直方向に貫通する雌ネジ部６０１を備える。マグネット９は、薄い平板状の磁石であり、下面に断面が三角形であり水平方向に配設された溝部９０１を備える。三角柱部１５は、断面が三角形であり、上部に傾斜部１５１を備える。三角柱部１５は、下面に円筒部１５２を備える。円筒部１５２は、その中央に下方に開口する孔１５３を備える。三角柱部１５は、上端辺がマグネット９の溝部９０１に当接するように配設される。２つのスプリング１０は、それぞれ下端が固着部６の上面に接着剤によって固着され、上端がマグネット９の下面に固着される。２つのスプリング１０は、雌ネジ部６０１の前方部分及び後方部分となる位置にそれぞれ配設される。
【００３３】
ドア部４は、孔４０１にシャフト５０１が挿入されることによりシャフト５０１に軸支され、シャフト５０１を軸として自在に回動する。ドア部４は、シャフト５０１を軸に回動することにより、前面パネル３の孔３０１を開閉する。雄ネジ部１１は、固着部６の下方から固着部６の雌ネジ部６０１にねじ込まれる。
【００３４】
図３は、オーディオ信号増幅装置１の前面パネル３とドア部４を示す断面図である。
雄ネジ部１１は、ねじ頭部（図３に示す雄ネジ部１１の下部）に凹部１１０を備える。雄ネジ部１１は、雌ネジ部６０１にねじ込まれることにより固着部６から上方に突出する。雄ネジ部１１のねじ山の先端部分（図３に示す雄ネジ部１１の上端部分）は、三角柱部１５の孔１５３に挿入された状態となる。雄ネジ部１１は、固着部６の下方から見て時計回り方向に回転されることにより雌ネジ部６０１にねじ込まれて上方に移動し、反時計回り方向に回転されることにより下方に移動するものとする。雄ネジ部１１は、固着部６の下方から見て時計回り方向に回転され、上方に移動することにより、三角柱部１５及びマグネット９を上方に押圧する。スプリング１０は、マグネット９が三角柱部１５を介して雄ネジ部１１によって上方に押圧された状態のとき、弾性力によってマグネット９を下方に引く力が作用する。
マグネット９は、溝部９０１に三角柱部１５の上端辺が当接し、スプリング１０にマグネット９を下方に引く力が作用した状態で、固着部６に保持される。
【００３５】
固着部６は、図３に示すように、ドア部４の前面と前面パネル３の前面が略同一面となった状態のとき、マグネット９が鉄板部４０２に当接する位置に配設される。
前面パネル３の孔３０１が開口した状態から孔３０１を閉鎖する方向にドア部４を回動させた場合、前面パネル３の前面とドア部４の前面とが略同一面となったときに鉄板部４０２とマグネット９が当接し、ドア部４の回動を抑止する。このとき、ドア部４は、マグネット９の磁力によって鉄板部４０２を吸着することにより、前面が前面パネル３の前面と略同一面となった回転角度で固着部６に保持された状態となる。
【００３６】
図４は、オーディオ信号増幅装置１の前面パネル３とドア部４を示す図で、図４（ａ）は固着部６が上方にずれた位置で前面パネル３の後面に固着された場合において、ドア部４を閉じた状態を示す断面図、図４（ｂ）は図４（ａ）の状態からマグネット９が三角柱部１５の上端辺を軸に回動する様子を示す断面図である。三角柱部１５の傾斜部１５１の傾斜角度は、マグネット９の溝部９０１の傾斜角度より小さい角度とする。
【００３７】
固着部６が上方にずれた位置で前面パネル３の後面に固着された状態でドア部４を閉じると、図４（ａ）に示すように、前面パネル３の前面とドア部４の前面が同一面とならない状態で鉄板部４０２とマグネット９が当接してしまい、ドア部４の上方の前端部分と前面パネル３の前面との間に距離Ｂの段差が生じる。
【００３８】
また、このとき、鉄板部４０２の前端のみがマグネット９と当接し、マグネット９の上面に対して鉄板部４０２の下面が傾斜した状態となる。
しかし、ドア部４を閉じる力によって雄ネジ部１１の前方にあるスプリング１０が圧縮すると共に雄ネジ部１１の後方にあるスプリング１０が伸張し、鉄板部４０２の下面とマグネット９の上面とが平行な位置関係で当接するようマグネット９が三角柱部１５の上端辺を軸に回動する。マグネット９は、図４（ｂ）に示すように、三角柱部１５の上端辺を軸に回動することによって上面が鉄板部４０２の下面と平行な状態で鉄板部４０２を吸着する。
このように、本実施例のオーディオ信号増幅装置１は、固着部６が上方にずれた位置で前面パネル３の後面に固着されても、鉄板部４０２の下面に対してマグネット９の上面が平行となるように三角柱部１５の上端辺を軸に回動する。このことにより、固着部６が上方にずれた位置で前面パネル３の後面に固着されても、ドア部４を閉じた場合に、鉄板部４０２の一端のみがマグネット９と当接してマグネット９の上面に対して鉄板部４０２の下面が傾斜した状態となり、鉄板部４０２の下面とマグネット９の上面とが平行な状態で当接する場合よりマグネット９が鉄板部４０２を吸着する力が弱くなってしまうことを防止することができる。
【００３９】
また、この構成により、図示しないが、例えば、固着部６が下方にずれた状態で前面パネル３の後面に固着された場合でも、鉄板部４０２の下面に対してマグネット９の上面が平行となるように三角柱部１５の上端辺を軸に回動する。このことにより、固着部６が下方にずれた位置で前面パネル３の後面に固着されても、ドア部４を閉じた場合に、鉄板部４０２の一端のみがマグネット９と当接してマグネット９の上面に対して鉄板部４０２の下面が傾斜した状態となり、鉄板部４０２の下面とマグネット９の上面とが平行な状態で当接する場合よりマグネット９が鉄板部４０２を吸着する力が弱くなることを防止することができる。
【００４０】
図５は、図４（ａ）の状態からドライバーの先端を雄ネジ部１１の凹部１１０に嵌合させて回転させた状態を示す断面図である。
【００４１】
固着部６が上方にずれた位置で前面パネル３の後面に固着されると、図４（ｂ）に示すように、前面パネル３の前面とドア部４の前面が同一面とならない状態で鉄板部４０２とマグネット９が当接し、ドア部４の上方の前端部分と前面パネル３の前面との間に段差が生じた状態となる。
【００４２】
この場合、先端に凸部を備えたドライバー１２を図２に示す前面パネル３の切欠き３０２を介して雄ネジ部１１の凹部１１０に嵌合させた状態とし、このドライバー１２を固着部６の下方から見て反時計回り方向に回転させる。ドライバー１２を固着部６の下方から見て反時計回り方向に回転させることによって、雄ネジ部１１も固着部６の下方から見て反時計回り方向に回転し、雄ネジ部１１が下方に移動する。雄ネジ部１１が下方に移動すると、マグネット９は、図５に示すように、スプリング１０がマグネット９を下方に引く力によって下方に移動する。これにより、マグネット９の上面の位置は、図４（ｂ）に示す状態よりも下方の位置となる。マグネット９の上面の位置が下方に移動することにより、ドア部４は、前面が前面パネル３の前面と同一面となった状態で保持される。
【００４３】
このように、本実施例のオーディオ信号増幅装置１は、固着部６が上方にずれた状態で前面パネル３の後面に固着された場合でも、ドライバー１２を図２に示す前面パネル３の切欠き３０２を介して雄ネジ部１１の凹部１１０に嵌合させて固着部６の下方から見て反時計回り方向に回転させることにより、固着部６に保持されたマグネット９を下方に移動させることができるので、ドア部４の前面が前面パネル３の前面と同一面となった状態でドア部４を保持することができる。
【００４４】
また、この構成により、図示しないが、例えば、固着部６が下方にずれた状態で前面パネル３の後面に固着された場合、ドライバー１２を図２に示す前面パネル３の切欠き３０２を介して雄ネジ部１１の凹部１１０に嵌合させて固着部６の下方から見て時計回り方向に回転させることにより、固着部６に保持されたマグネット９を上方に移動させることができるので、ドア部４の前面が前面パネル３の前面と同一面となった状態でドア部４を保持することができる。
【００４５】
以上の構成により、本実施例のオーディオ信号増幅装置１は、鉄板部４０２の下面に対してマグネット９の上面が平行となるように三角柱部１５の上端辺を軸に回動することにより、固着部６が上方または下方にずれた位置で前面パネル３の後面に固着されても、ドア部４を閉じた場合にマグネット９が鉄板部４０２を吸着する力が弱くなることを防止することができる。また、本実施例のオーディオ信号増幅装置１は、ドライバー１２によって雄ネジ部１１を時計回り方向または反時計回り方向に回転させることによって、マグネット９の上面の高さを簡単に変化させることができるので、固着部６が上方または下方にずれた状態で前面パネル３の後面に固着されてしまっても、ドア部４の前面が前面パネル３の前面と同一面となった状態でドア部４を保持することができる。
【００４６】
このことにより、固着部６が上方または下方にずれた状態で前面パネル３の後面に固着され、ドア部４の上方の前端部分と前面パネル３の前面との間に段差が生じている状態でも、ドア部４を閉じた場合にマグネット９が鉄板部４０２を吸着する力が弱くなることを防止することができるので、ドア部４の前面が前面パネル３の前面と同一面となるように雄ネジ部１１を回転させる作業を行なっていない場合でも、前面パネル３に外部からの僅かな衝撃や振動によってドア部４が容易に開いてしまうことを防止することができる。
【００４７】
また、ドア部４の上方の前端部分と前面パネル３の前面との間に段差が生じている場合、雄ネジ部１１を回動させることによって、ドア部４の前面が前面パネル３の前面と同一面となった状態でドア部４を保持することができるので、前面パネル３の孔３０１をドア部４によって閉鎖した状態の場合、固着部６が上方または下方にずれた状態で前面パネル３の後面に固着されるためにドア部４の上方の前端部分と前面パネル３の前面との間に段差が生じてしまい、オーディオ信号増幅装置１の美観が損なわれてしまうことを防止することができる。また、ドア部４を閉鎖してもドア部４の上方の前端部分と前面パネル３の前面との間に段差ドア部４の上端と孔３０１の上端との間に隙間が生じ、当該隙間から侵入した塵埃や水滴から前面パネル３の後方に配設された操作ボタン８０１やボリュウム部８０２を保護することができなくなることを防止することができる。
【図面の簡単な説明】
【００４８】
【図１】本実施例のオーディオデータ増幅装置を示す斜視図。
【図２】オーディオ信号増幅装置１の前面パネル３とドア部４の構成を示す後方斜視図。
【図３】オーディオ信号増幅装置１の前面パネル３とドア部４を示す断面図。
【図４】オーディオ信号増幅装置１の前面パネル３とドア部４を示す図で、図４（ａ）は固着部６が上方にずれた位置で前面パネル３の後面に固着された場合において、ドア部４を閉じた状態を示す断面図、図４（ｂ）は図４（ａ）の状態からマグネット９が三角柱部１５の上端辺を軸に回動する様子を示す断面図。
【図５】図４（ａ）の状態からドライバーの先端を雄ネジ部１１の凹部１１０に嵌合させて回転させた状態を示す断面図。
【図６】従来のオーディオ信号増幅装置の一例を示す斜視図。
【図７】オーディオ信号増幅装置１００の前面パネル３とドア部４の構成を示す後方斜視図。
【図８】オーディオ信号増幅装置１００の前面パネル３とドア部４を示す断面図。
【図９】オーディオ信号増幅装置１００の固着部６００が上方にずれた位置で前面パネル３の後面に固着された場合の状態を示す断面図。
【符号の説明】
【００４９】
１  オーディオ信号増幅装置、２  筐体、３  前面パネル、３０１  孔、３０２  切欠き、
４  ドア部、４０１  孔、４０２  鉄板部、５  フランジ、５０１  シャフト、
６  固着部、６０１  雌ネジ部、７  増幅部、
８  操作部、８０１  操作ボタン、８０２  ボリュウム部、
９  マグネット、９０１  溝部、１０  スプリング、１１  雄ネジ部、１１０  凹部、
１２  ドライバー、１５  三角柱部、１５１  傾斜部、１５２  円筒部、１５３  孔、
１００  オーディオ信号増幅装置、６００  固着部
【図１】
2007227774.tif 000003
【図２】
2007227774.tif 000004
【図３】
2007227774.tif 000005
【図４】
2007227774.tif 000006
【図５】
2007227774.tif 000007
【図６】
2007227774.tif 000008
【図７】
2007227774.tif 000009
【図８】
2007227774.tif 000010
【図９】
2007227774.tif 000011